(57)【要約】      （修正有）【課題】ベルトの長さの調節や固定にも利用でき、傘や軽荷物、携帯電話やアクセサリーなどの係止と、両者を兼ね備えたファッション性にも富む、送りカンを提供する。【解決手段】ウェストポーチのベルト８の長さの調節及び固定に利用される日の字形状でベルト８の上を横方向に移動さすことができる送りカン１において、該送りカン１の上枠４の裏側面にはズボンフック６と、下枠５の表側面に携帯フック７を設けて構成の送りカン１とする。【選択図】図３
0003169321.tif 000002
【実用新案登録請求の範囲】
【請求項１】
ショルダーバッグやウェストポーチのベルト長の調節及び固定に利用される日の字形状でベルト上を移動さす送りカンにおいて、該送りカンの縦枠に係止孔と、下枠に携帯フックを設けたことを特徴とする送りカン。
【請求項２】
前記送りカンの裏面にズボンフックを設けたことを特徴とする請求項１に記載の送りカン。
【考案の詳細な説明】
【技術分野】
【０００１】
本考案は、合成樹脂や金属で製造されショルダーバッグやデイバッグ、ウェストポーチ(ウェストバッグ)などのベルトの長さ調節や固定に利用される日の字の形状の、送りカン(別称コキカン)に関する。
【背景技術】
【０００２】
携帯電話を収納したショルダーバッグを肩に掛けていたり、腰に取付けたウェストポーチ内にしまっていたりした時、突然の携帯電話の呼び出しコールに慌てて取出そうとして携帯電話を落としたりなどとよくあることである。ウェストポーチは利き腕側にバッグ部分をユッタリ装着する方が楽で、バッグ内の物品の出し入れの際にはバッグ部分を臍側に移動した方が目視も可能で物品を探し易いが、腰の横にバッグ部分をおき袋内を見ずに手を突っ込み物を探そうとするとバッグがずり落ちたり、大切な物を紛失する原因となっている。
【０００３】
ショルダーバッグを肩に掛け買い物後のレジ袋を持ち、ポケット内にある自宅ドアの鍵を探したり、開錠したい時に静電気を帯びてゴミや埃を吸着し易い状態のレジ袋を、マンションの玄関の共有通路上や自宅の玄関前に置き、ゴミや埃をレジ袋に付着させたまま自宅内に入ろうと思う人はいない。
【先行技術文献】
【特許文献】
【０００４】
【特許文献１】特公開２００９−２７５３０７
【０００５】
前記特許文献１は送りカンが利用されているリュックサック兼用ジャンパーであって、送りカンの構造に関してのものではない。
【０００６】
【特許文献２】登録番号実用新案登録３１２５０９８号
【０００７】
前記特許文献２の考案の名称は、ベルトの長さ調整器具で、従来の送りカンの変形タイプであって本考案の携帯フック、係止孔を設けた構成のものではない。
【考案の概要】
【考案が解決しようとする課題】
【０００８】
本考案の目的は、ショルダーバッグ、旅行用バッグ、ウェストポーチやデイバッグなどのベルトに利用される送りカンは、ベルトの長さの調節や固定に利用されるだけであって、傘や軽荷物、携帯電話やアクセサリーなどを係止することはできない。ベルトの長さの調節や固定にも利用でき、傘や軽荷物、携帯電話やアクセサリーなどの係止と、両者を兼ね備えたファッション性にも富む、送りカンの提供である。      
【課題を解決するための手段】
【０００９】
請求項１に係る送りカンは、ショルダーバッグやウェストポーチのベルトの長さの調節や固定に利用される日の字形状でベルト上を移動さすことができ、金属や合成樹脂で製造される送りカンにおいて、該送りカンの縦枠又は両縦枠横に係止孔を、下枠に携帯フックを設けたことを特徴とする送りカンである。
【００１０】
請求項２に係る送りカンは、ウェストポーチに利用される送りカンで、上枠の裏面にズボンフックを設けたことを特徴とする請求項１に記載の送りカンである。
【００１１】
ウェストポーチのベルト囲む枠を作成し、該枠の表側に携帯フックを裏面にズボンフックを設けた形状の物も含まれる。
【００１２】
縦枠に係止孔を複数設けたもの、縦枠の係止孔が片方だけの構成、携帯フックを省いた構成の送りカン、係止孔や携帯フックを縦枠だけでなく上枠４や下枠５など、どの枠にでも、又複数個設けてもよい。
【００１３】
ナスカンやリングを取付ける係止孔の他に、枠面に孔を設けてキャラクターや動物、花、果物などのブローチを作成しその裏面に雄ネジを取付けナットで固定してもよい。
【考案の効果】
【００１４】
本考案によって、ウェストポーチ、ショルダーバッグやデイバッグなどのベルトの長さの調節や固定に利用される送りカンに、傘や軽荷物を掛けることができ電車やバス内で手を塞ぐことなく吊り輪を持つことができ、バスの急停車、車両の揺れに足をとられることなく吊り輪やポールなどを持って対応でき、年配者や弱者の怪我や事故防止に努められ安全にも配慮された商品である。
【００１５】
バッグのベルト上に取付ける送りカンに設けたフックに軽荷物を掛けられるということでバッグの収納部分を広くでき、外部のベルトに装着した携帯電話の呼び出しコールも聞こえ易く素早く対応することができる。
【００１６】
送りカンにズボンフックを設けたことで、ズボンフックをベルトやズボンの縁に引掛けることができ、腰に巻いたウェストポーチがずり落ちることもなく、ウェストポーチのベルトをゆったりと長くでき食事後のウェストの増加や、冬季時や寒冷地での車外では厚着を、車内では薄着であるウェストサイズの変化にも対応することができ、腰にくびれの無い肥満者にもウェストポーチの利用が可能である。
【００１７】
ウェストポーチから財布などを取出す時は、荷物を収納した袋部分を体の前部に移動し、ポーチ内に収めた財布や鍵などを探すが、ズボンフックを設けたことでウェストポーチのずり落ちを防げ、腰にくびれの無い肥満者にも物品の取出しが早く楽に行なえ、係止孔やリングにはお気に入りのキャラクターや人形、アクセサリーを飾ることが可能である。
【図面の簡単な説明】
【００１８】
【図１】(Ａ)は本考案のウェストポーチの送りカンの斜視図である。        (Ｂ)は本考案の図１(Ａ)の側面図である。
【図２】本考案のウェストポーチの送りカンで下枠に係止孔を設けたの図である。
【図３】本考案のウェストポーチの送りカンで下枠に携帯フック、上枠裏面にズボンフック６を、両縦枠に係止孔を設けた図である。
【図４】本考案のショルダーバッグの送りカンでＳ下枠にＳ携帯フックを設けた図である。
【図５】本考案のショルダーバッグの送りカンでＳ下枠に係止孔を設けた図である。
【図６】本考案のショルダーバッグの送りカンで両S縦枠を拡大し係止孔を設けた図である。
【図７】本考案のショルダーバッグの送りカンで両Ｓ縦枠を拡大し係止孔を設け、Ｓ下枠にS携帯フックを設けた図である。
【図８】本考案のショルダーバッグの送りカンで両Ｓ縦枠の延長上にＳ縦枠バネフックを設けた図である。
【図９】本考案のショルダーバッグの送りカンで両Ｓ縦枠の延長上にＳ両縦枠フックを設けた図である。
【考案を実施するための形態】
【実施例１】
【００１９】
本考案の送りカン１の構成を図１(Ａ)に示す。(Ｂ)は図１(Ａ)の側面図である。
ウェストポーチなどに使われ、日の字形状(横長の日)でベルト上を横方向に移動さすことができる送りカン１は、図面の上方の枠を上枠４、下方の枠を下枠５と表し、左右枠を縦枠２と表し、中央にあって上枠４と下枠５を支える縦の枠を中枠３と表してある。ベルト８は一方の縦枠の裏側(身体側)面から差し込み、中枠３の表側面を通り再度他方の縦枠２の裏面を通る構造であって、ベルト８はこれらの両縦枠２や中枠３、ベルト８から受ける摩擦抵抗でベルト８の長さ調節及び固定を行なうのである。上枠４の裏面側に設けたフックをズボンフック６とし、下枠５の外側面に設けたフックを携帯フック７と表している。ベルト８が接触する枠面に多数の突起を設けても良い。従来の送りカンはズボンフック６と携帯フック７がない構造である。
【実施例２】
【００２０】
図２はウェストポーチに利用される本考案の送りカン１の構成を示す。
実施例１で示した下枠５に取付けた携帯フック７位置に係止孔９を設け、該係止孔９にリング１０を取付けたものである。係止孔９にアクセサリーや、リング１０、ナスカンなどを取付けることを可能にしたものである。ベルト８の送りカン１への通し方は実施例１と同様である。
【実施例３】
【００２１】
図３はウェストポーチに利用される本考案の送りカン１の構成を示す。実施例１のように本考案のズボンフック６と携帯フック７を設けた送りカン１に、更に両縦枠２を拡張し係止孔９を設けたものである。下枠５に設けた携帯フック７の代りに係止孔９を設けてもよい。ベルト８の送りカン１への通し方は実施例１と同様である。
【実施例４】
【００２２】
図４に示した送りカン１は、本考案のショルダーバッグに利用される送りカン１の構成を示す。日の字形状でベルト上を縦方向に移動さすことができる送りカン１である。ショルダーバッグ用の送りカン１の一部の部位名の表示にＳを冠しウェストポーチの部位名と差別化して表示を行なうものである。図面の上方からＳ上枠を４Ｓ、Ｓ中枠を３Ｓ、Ｓ下枠を５Ｓと表し、左右二本のＳ縦枠２Ｓにて送りカン１は閉ざされていて、Ｓ下枠５ＳにＳ携帯フック７Ｓを設けてある構成である。ベルト８はＳ上枠４Ｓの裏側面から差し入れＳ中枠３Ｓ面の表側を通しＳ下枠５Ｓの裏面へと通してベルト８の長さの調節や固定を行なう構成である。
【実施例５】
【００２３】
図５に示した送りカン１は、本考案のショルダーバッグに利用される送りカン１の構成を示す。Ｓ下枠５Ｓに係止孔９を設け、該係止孔９にリング１０やナスカンを取付ける構成である。ベルト８の送りカン１への通し方は実施例４と同様である。
【実施例６】
【００２４】
図６に示した送りカン１は、本考案のショルダーバッグに利用される送りカン１の構成を示す。図面の上方からＳ上枠を４Ｓ、Ｓ中枠を３Ｓ、Ｓ下枠を５Ｓと表し、左右二本のＳ縦枠２Ｓにて送りカン１は構成されている。両Ｓ縦枠２Ｓを外側に拡張し係止孔９を設けリング１０やナスカンを取付ける構造である。ベルト８の送りカン１への通し方は実施例４と同様である。
【実施例７】
【００２５】
図７に示した送りカン１は、本考案のショルダーバッグに利用される送りカン１の構成を示す。図面の上方からＳ上枠を４Ｓ、Ｓ中枠を３Ｓ、Ｓ下枠を５Ｓと表し、左右二本のＳ縦枠２Ｓにて送りカン１は構成されている。両Ｓ縦枠２Ｓを外側に拡大し係止孔９を設けリング１０やナスカンを取付けれる構成である。Ｓ下枠５ＳにはＳ携帯フック７Ｓを設け軽荷物や傘を係止できる構成である。ベルト８の送りカン１への通し方は実施例４と同様である。Ｓ下枠５ＳにはＳ携帯フック７Ｓを設けてあるが、Ｓ下枠５Ｓに係止孔９を設けてもよい。
【実施例８】
【００２６】
図８に示した送りカン１は、本考案のショルダーバッグに利用される送りカン１の構成である。図面の上方からＳ上枠を４Ｓ、Ｓ中枠を３Ｓ、Ｓ下枠を５Ｓと表し、左右二本のＳ縦枠２Ｓにて送りカン１は構成されている。両Ｓ縦枠２Ｓをループ状に延長しＳ縦枠バネフック７Ｓａとし、該Ｓ縦枠バネフック７Ｓａの端部はＳ縦枠２Ｓの延長上内側面にＳ下枠５Ｓより下方位置に接するように成形され、指で両端部を挟むと図面上の矢印方向に動かすことができる。ベルト８の送りカン１への通し方は実施例４と同様である。
【実施例９】
【００２７】
図９に示した送りカン１は、本考案のショルダーバッグに利用される送りカン１の構成である。図面の上方からＳ上枠を４Ｓ、Ｓ中枠を３Ｓ、Ｓ下枠を５Ｓと表し、左右二本のＳ縦枠２Ｓにて送りカン１は構成されている。両Ｓ縦枠２Ｓを延長上で繋げフックとしＳ両縦枠フック７Ｓｂとす。ベルト８の送りカン１への通し方は実施例４と同様である。
【実施例１０】
【００２８】
本考案のショルダーバッグやウェストポーチに利用される送りカン１は合成樹脂から製造される方が容易であるが、従来から金属(鉄線)で折曲され日の字形状に仕上げた送りカンがあるが、枠部分の直線部分を折曲して携帯フック７や円形に折り曲げループ状に仕上げ係止孔９としてもよい。
【実施例１１】
【００２９】
ショルダーバッグやウェストポーチに利用される口の字形状の口金の縦枠にリングを設けてもよい。
【符号の説明】
【００３０】
１      送りカン     
２      縦枠
２Ｓ    Ｓ縦枠
３      中枠
３Ｓ    Ｓ中枠  
４      上枠  
４Ｓ    Ｓ上枠
５      下枠  
５Ｓ    Ｓ下枠
６      ズボンフック    
７      携帯フック
７Ｓ    Ｓ携帯フック  
７Ｓａ  Ｓ縦枠バネフック
７Ｓｂ  Ｓ両縦枠フック
８      ベルト  
９      係止孔  
１０    リング      
【図１】
0003169321.tif 000003
【図２】
0003169321.tif 000004
【図３】
0003169321.tif 000005
【図４】
0003169321.tif 000006
【図５】
0003169321.tif 000007
【図６】
0003169321.tif 000008
【図７】
0003169321.tif 000009
【図８】
0003169321.tif 000010
【図９】
0003169321.tif 000011